(57)【特許請求の範囲】
【請求項１】
上面から圧入凹部を形成され、該圧入凹部から下面に貫通する端子孔を穿設されたベースと、
該ベースの圧入凹部に圧入される圧入部と、
該圧入部から上方に延設され、先端に接点を設けられる接点部と、
前記圧入部の一方の側縁部から下方に延設され、前記ベースの端子孔を貫通する端子部と、
を有する接触片と、
を備え、
前記ベースの下面側から端子孔に接着剤を注入して端子部を固定するようにした電磁継電器において、
前記接触片の圧入部は、
前記一方の側縁部とは反対側に位置する他方の側縁部に形成される補助端子部と、
前記端子部及び前記補助端子部に対して内側に位置する圧入突部と、
を備え、
前記ベースの圧入凹部に、前記補助端子部が挿通する補助端子孔を穿設したことを特徴とする電磁継電器。
【請求項２】
前記可動接触片が圧入される圧入凹部は、内面に３列の突条を備えたことを特徴とする請求項１に記載の電磁継電器。
【発明の詳細な説明】
【０００１】
【発明の属する技術分野】
本発明は、電磁継電器に関するものである。
【０００２】
【従来の技術】
従来、電磁継電器として、ベースに形成した端子孔に接触片の端子部を圧入して底面より突出させ、この圧入部分にベースの底面側から接着剤を注入して固定するようにしたものがある。
【０００３】
【発明が解決しようとする課題】
しかしながら、前記ベースからの端子部の突出位置は、実装するプリント基板等の関係を考慮しているため、殆どの場合、中心から側方にずれている。つまり、接点開閉位置に対してアンバランスな位置に端子部が形成されている。このため、前記接着剤が硬化する際の収縮により端子部に応力が作用すると、接触片が位置ずれし、接点間距離等の動作特性に直接悪影響を及ぼす恐れがある。
【０００４】
そこで、本発明は、ベースの端子孔に端子部を接着剤によって適切に固定することのできる電磁継電器を提供することを課題とする。
【０００５】
【課題を解決するための手段】
本発明は、前記課題を解決するための手段として、
上面から圧入凹部を形成され、該圧入凹部から下面に貫通する端子孔を穿設されたベースと、
該ベースの圧入凹部に圧入される圧入部と、
該圧入部から上方に延設され、先端に接点を設けられる接点部と、
前記圧入部の一方の側縁部から下方に延設され、前記ベースの端子孔を貫通する端子部と、
を有する接触片と、
を備え、
前記ベースの下面側から端子孔に接着剤を注入して端子部を固定するようにした電磁継電器において、
前記接触片の圧入部は、
前記一方の側縁部とは反対側に位置する他方の側縁部に形成される補助端子部と、
前記端子部及び前記補助端子部に対して内側に位置する圧入突部と、
を備え、
前記ベースの圧入凹部に、前記補助端子部が挿通する補助端子孔を穿設したものである。
【０００６】
この構成により、ベースの下面から端子孔のみならず、補助端子孔に接着剤を注入すれば、端子部のみならず補助端子部をもベースに固定することができる。したがって、ベースを薄肉としても、接触片を強固かつバランスよく固定することが可能となる。
【０００７】
前記可動接触片が圧入される圧入凹部は、内面に３列の突条を備えるのが好ましい。
【０００８】
【発明の実施の形態】
以下、本発明に係る実施形態を添付図面に従って説明する。
【０００９】
図１及び図２は、本実施形態に係る電磁継電器を示す。この電磁継電器は、電磁石１を励磁・消磁することにより、可動鉄片２及びカード３を介して接点開閉機構４を駆動するようにした構成で、これらはケース５によって被覆されている。
【００１０】
電磁石１は、図３に示すように、鉄心６にスプール７を介してコイル８を巻回したものである。鉄心６は円柱状のフェライトからなり、その下端部には略Ｌ字形のヨーク９の一端部がかしめ固定されている。ヨーク９の他端部は鉄心６上端の吸引部６ａ側方に延在する支持部１０となっている。スプール７は合成樹脂材料を略筒状に形成したものである。スプール７の上端部にはドーナツ状の鍔部１１が形成されている。スプール７の下端部は側方に延設されてベース部１２となっている。ベース部１２は、底面部１３とその上面内側の台座部１４とで構成されている。そして、ベース部１２には、前記ヨーク９が貫通する矩形孔１５と、コイル端子１６が圧入されるコイル端子孔１７と、後述する可動接触片３０及び固定接触片３１が圧入される圧入凹部１８ａ及び１８ｂとがそれぞれ形成されている。各圧入凹部１８ａ，１８ｂの両端部には、図４に示すように、端子孔１９及び補助端子孔２０がそれぞれ穿設されている。また圧入凹部１８ａには、３列で突条が形成され、固定接触片３１に比べて薄肉の可動接触片３０であっても適切に圧入できるようになっている。また、前記ベース部１２（底面部１３）の下面には、例えば、図４（ａ）又は（ｂ）に示すように、隣接する２つの端子孔１９を連通する凹部２１がそれぞれ形成されている。この凹部２１は、各端子孔１９に接着剤を同時に充填するために使用される。また、ベース部１２（台座部１４）の上面略中央部には幅方向に断面略円弧状の溝部２２が形成され、その近傍には係止溝２３（係止溝２３の内面にも、前記圧入凹部１８ａと同様な突条が形成されている。）が設けられている。さらに、台座部１４の両側面中央部及び両端面２箇所には係合突部２４がそれぞれ形成されている。コイル８は、その両端部が前記ベース部１２に圧入したコイル端子１６の上端部にそれぞれ巻回されている。なお、前記ベース部１２の下面４側縁中央部にはスタンドオフ１２ａがそれぞれ突設され、プリント基板等に実装した際に、プリント基板とベース部１２の底面との間に隙間を確保できるようになっている。
【００１１】
可動鉄片２は、図３に示すように、フェライト等の磁性板材を所定角度で折曲したもので、前記ヨーク９の支持部１０に回動自在に支持されている。可動鉄片２の屈曲部分には開口部２５が形成され、そこには、ヨーク９の支持部近傍に固定した板バネ２６が係止されている。また可動鉄片２の一端部には、先端に向かうに従って徐々に薄くなる凹状の押圧部２７が形成されている。
【００１２】
カード３は、図３に示すように、合成樹脂材料を略矩形板状に成形したもので、下端部には両側に突出する円柱状の支軸２８が設けられている。またカード３の上方側両面には第１及び第２突起２９ａ及び２９ｂがそれぞれ形成されている。図５に示すように、第１突起２９ａが前記可動鉄片２の押圧部２７に当接し、第２突起２９ｂが後述する可動接触片３０に当接する。
【００１３】
接点開閉機構４は、図６及び図７に示すように、ベースに所定間隔で対向配設した可動接触片３０と固定接触片３１とからなる。可動接触片３０の上端部は、略く字形に屈曲し、その下方側には可動接点３２がかしめ固定されている。可動接触片３０の下端側にはベース部１２の圧入凹部１８ａに圧入される圧入部３３がそれぞれ形成されている。圧入部３３の両側にはプレス等により一対の圧入突部３４が形成されている。各圧入突部３４の近傍縁部からは端子部３５と補助端子部３６とが下方に向かって延設されている。図８に示すように、端子部３５は前記ベース部１２の端子孔１９を貫通し、補助端子部３６は補助端子孔２０に位置する。固定接触片３１は、上端部に前記可動接点３２に接離可能に対向する固定接点３７がかしめ固定されている。また下端部は前記可動接触片３０と同様、圧入部３８と端子部３９及び補助端子部４０で構成されており、圧入部３３には一対の圧入突部４１が形成されている。
【００１４】
ケース５は、図１及び図９に示すように、下面が開口する略箱形状で、両側壁の下方側には前記電磁石１のベース部１２の係合突部２４が係合する係合孔４２が穿設されている。また、図９に示すように、ケース５の天井面から下方に向かって延設部４３が形成されている。延設部４３の先端は二股に分かれ、一方は前記カード３の支軸２８がベース部１２の溝部２２から脱落することを防止する押え部４４、他方は前記ベース部１２の係止溝２３に係止される係止部４５となっている。なお、前記延設部４３の基部には、可動鉄片２の屈曲部分に沿うと共に、先端面に前記板バネ２６の先端部が圧接するガイド部４６が形成され、可動鉄片２の位置ずれを防止すると共にベース部１２へのケース５の装着状態を良好なものとしている。
【００１５】
続いて、前記電磁継電器の組立方法について説明する。
【００１６】
まず、ベース部１２に形成したコイル端子孔１７にコイル端子１６を圧入し、スプール７を介してコイル８を巻回する。そして、ヨーク９に設けた板バネ２６を開口部２５より挿入し、鉄心６の下端部にヨーク９の一端部をかしめ固定する。これにより電磁石１を完成する。続いて、コイル８の両端部をコイル端子１６にそれぞれ巻回する。また、電磁石１のベース部１２に形成した端子孔１９及び２０に可動接触片３０及び固定接触片３１を圧入し、各端子部３５を下面より突出させる。その後、ヨーク９の上端部１０と板バネ２６との間に可動鉄片２を配置し、回動自在に支持する。
【００１７】
次いで、前記ベース部１２の溝部２２にカード３の支軸２８を配置し、第１突起２９ａを可動鉄片２の押圧部２７に当接させ、第２突起を可動接触片３０に当接させる。これにより、可動接触片３０の弾性力がカード３を介して可動鉄片２に作用し、可動鉄片２は、一端部が鉄心６の吸引部６ａから離間して位置規制される。また押圧部２７は、先端に向かうに従って徐々に薄くなる凹状に形成されているため、電磁石１の励磁前であっても、第１突起２９ａすなわちカード３の上方移動が阻止される。
【００１８】
ここで、電磁石１を励磁して動作特性を検査する。この場合、可動鉄片２が回動すると、押圧部２７によってカード３の第１突起２９ａが押圧されるが、押圧部２７が前述のような形状となっているため、カード３をベース部１２側に向かって押えるような力が作用する。したがって、カード３の支軸２８がベースの溝部２２から脱落する等、位置ずれが起こることがなく、動作特性の検査を適切に行うことができる。
【００１９】
検査が終了すれば、ベース部１２にケース５を被せ、台座部１４の係合突部２４をケース５の係合孔４２に係合し、ベース部１２の底面をシールすることにより電磁継電器を完成する。この場合、カード３の支軸２８等にシール剤が侵入することがない。また、ケース５に形成した延設部４３の押え部４４がカード３の支軸２８がベースの溝部２２から脱落することを確実に防止する。また、延設部４３自身は、係止部４５が係止溝２３に係止されることにより位置ずれを防止される。
【００２０】
次に、前記電磁継電器の動作を説明する。
【００２１】
コイル８に通電しない電磁石１が無励磁の状態では、可動接触片３０は、それ自身の弾性力により直立し、可動接点３２は固定接点３７に所定間隔で対向する。また可動接触片３０の弾性力によりカード３を介して可動鉄片２がヨーク９の支持部１０を中心として、図１中時計回り方向に回動し、一端部が鉄心６の吸引部６ａから離間する。
【００２２】
ここで、コイル８に通電して電磁石１を励磁すると、鉄心６の吸引部６ａに可動鉄片２の一端部が吸引され、可動鉄片２はヨーク９の支持部１０を支点として図１中反時計回り方向に回動する。これにより、可動鉄片２の押圧部２７によって第１突起２９ａを押圧されたカード３が、ベース部１２の溝部２２に配設した支軸２８を中心として図１中時計回り方向に回動する。カード３は、可動鉄片２の押圧部２７によってベース部１２側に押圧されながら回動し、しかもその支軸２８はケース５に形成した押え部４４によってベースの溝部２２からの位置ずれを確実に阻止される。したがって、電磁石１の励磁によりカード３はスムーズに回動し、第２突起２９ｂによって可動接触片３０を弾性変形させて可動接点３２を固定接点３７に閉成する。
【００２３】
【発明の効果】
以上の説明から明らかなように、本発明によれば、接触片に補助端子部を形成すると共にベースに補助端子孔を穿設するようにしたので、接着剤により接触片をバランス良くかつ強固にベースに固定することができ、所望の動作特性を確実に得ることが可能となる。
【図面の簡単な説明】
【図１】  本実施形態に係る電磁継電器の正面断面図である。
【図２】  図１のケースを除いた状態での斜視図である。
【図３】  図２の分解斜視図である。
【図４】  図２の底面図の例を示す。
【図５】  図１のカード近傍部分を示す拡大断面図である。
【図６】  図１の可動接触片を示す斜視図（ａ）及び正面図（ｂ）である。
【図７】  図１の固定接触片を示す斜視図（ａ）及び正面図（ｂ）である。
【図８】  図２の側面断面図である。
【図９】  図１のケースの部分破断斜視図である。
【符号の説明】
１…電磁石
２…可動鉄片
３…カード
４…接点開閉機構
５…ケース
７…スプール
９…ヨーク
１２…ベース部
１３…底面部
１４…台座部
１８ａ，１８ｂ…第１，第２圧入凹部
１９…端子孔
２０…補助端子孔
２１…凹部
２２…溝部
２７…押圧部
２８…支軸
２９ａ，２９ｂ…第１，第２突起
３０…可動接触片
３１…固定接触片
３２…可動接点
３３，３８…圧入部
３４，４１…圧入突部
３５，３９…端子部
３６，４０…補助端子部
３７…固定接点
【図１】
0004078801.tif 000002
【図２】
0004078801.tif 000003
【図３】
0004078801.tif 000004
【図４】
0004078801.tif 000005
【図５】
0004078801.tif 000006
【図６】
0004078801.tif 000007
【図７】
0004078801.tif 000008
【図８】
0004078801.tif 000009
【図９】
0004078801.tif 000010